【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
第１の検査タイミングで取得された被検眼の第１の眼底撮影像及び前記被検眼の眼底の第１の３次元画像と、前記第１の検査タイミングと異なる第２の検査タイミングで取得された前記被検眼の第２の眼底撮影像及び前記眼底の第２の３次元画像とを予め記憶する記憶手段と、
前記第１の眼底撮影像及び前記第２の眼底撮影像に基づいて、眼底表面方向における前記第１の眼底撮影像と前記第２の眼底撮影像との間の位置ズレ量を算出する第１の算出手段と、
前記算出された位置ズレ量に基づいて、前記第１の眼底撮影像及び前記第２の眼底撮影像のそれぞれに描写された前記眼底上の略同一位置に断面位置を指定する指定手段と、
前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、
を備えることを特徴とする眼底画像処理装置。
【請求項２】
前記指定手段は、複数の前記断面位置を指定し、
前記第２の算出手段は、前記複数の断面位置のそれぞれに対応する前記第１及び第２の３次元画像の断面位置について、当該断面位置における前記第１の断層像及び前記第２の断層像に基づいて、前記指定された断面位置に沿う方向と前記眼底深度方向とにより張られる面における前記傾きズレ量を算出する、
ことを特徴とする請求項１に記載の眼底画像処理装置。
【請求項３】
前記指定手段は、前記複数の断面位置として、互いに直交して交差する一対の直線状の断面位置を指定し、
前記第２の算出手段は、前記一対の断面位置のそれぞれに対応する前記第１及び第２の３次元画像の断面位置について前記傾きズレ量を算出することにより、互いに直交する一対の平面のそれぞれにおける傾きズレ量を求める、
ことを特徴とする請求項２に記載の眼底画像処理装置。
【請求項４】
前記指定手段は、前記複数の断面位置として、放射状に配置されて互いに交差する２つ以上の直線状の断面位置を指定し、
前記第２の算出手段は、前記２つ以上の断面位置のそれぞれに対応する前記第１及び第２の３次元画像の断面位置について前記傾きズレ量を算出し、
前記第２の算出手段により算出された前記２つ以上の断面位置に対応する前記傾きズレ量のうちの最大値を選択し、前記選択された傾きズレ量を打ち消すように、当該傾きズレ量に対応する断面位置に沿う方向と前記眼底深度方向とにより張られる平面における前記第１の３次元画像と前記第２の３次元画像との間の傾きのズレを補正する補正手段を更に備える、
ことを特徴とする請求項２に記載の眼底画像処理装置。
【請求項５】
前記第１の算出手段により算出された前記位置ズレ量と前記第２の算出手段により算出された前記傾きズレ量とを打ち消すように、前記第１の３次元画像と前記第２の３次元画像との間の位置合わせを行う位置合わせ手段を更に備える、
ことを特徴とする請求項１に記載の眼底画像処理装置。
【請求項６】
第１の算出手段により算出された前記位置ズレ量及び／又は前記第２の算出手段により算出された前記傾きズレ量に基づいて、前記第１の３次元画像を解析して所定の物理量の第１の値を算出し、かつ、前記第２の３次元画像を解析して前記所定の物理量の第２の値を算出する解析手段を更に備える、
ことを特徴とする請求項１に記載の眼底画像処理装置。
【請求項７】
前記第１の算出手段は、前記位置ズレ量として、前記眼底表面方向における平行移動量と回転移動量とを算出する、
ことを特徴とする請求項１〜請求項６のいずれか一項に記載の眼底画像処理装置。
【請求項８】
被検眼の眼底を撮影する撮影手段と、
光源からの光を信号光と参照光とに分割し、前記眼底を経由した前記信号光と参照光路を経由した参照光とを重畳させて干渉光を生成して検出する光学系と、
前記干渉光の検出結果に基づいて前記眼底の３次元画像を形成する画像形成手段と、
第１の検査タイミングで前記撮影手段により撮影された前記被検眼の第１の眼底撮影像及び前記画像形成手段により形成された前記眼底の第１の３次元画像と、前記第１の検査タイミングと異なる第２の検査タイミングで前記撮影された前記被検眼の第２の眼底撮影像及び前記形成された前記眼底の第２の３次元画像とを記憶する記憶手段と、
前記第１の眼底撮影像及び前記第２の眼底撮影像に基づいて、眼底表面方向における前記第１の眼底撮影像と前記第２の眼底撮影像との間の位置ズレ量を算出する第１の算出手段と、
前記算出された位置ズレ量に基づいて、前記第１の眼底撮影像及び前記第２の眼底撮影像のそれぞれに描写された前記眼底上の略同一位置に断面位置を指定する指定手段と、
前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、
を備えることを特徴とする眼底観察装置。
【請求項９】
光源からの光を信号光と参照光とに分割し、被検眼の眼底を経由した前記信号光と参照光路を経由した参照光とを重畳させて干渉光を生成して検出する光学系と、
前記干渉光の検出結果に基づいて前記眼底の３次元画像を形成する画像形成手段と、
第１の検査タイミングで取得された前記被検眼の第１の眼底撮影像と、前記第１の検査タイミングと異なる第２の検査タイミングで取得された前記被検眼の第２の眼底撮影像とを予め記憶するとともに、前記第１の検査タイミングで前記画像形成手段により形成された前記眼底の第１の３次元画像と、前記第２の検査タイミングで前記形成された前記眼底の第２の３次元画像とを記憶する記憶手段と、
前記第１の眼底撮影像及び前記第２の眼底撮影像に基づいて、眼底表面方向における前記第１の眼底撮影像と前記第２の眼底撮影像との間の位置ズレ量を算出する第１の算出手段と、
前記算出された位置ズレ量に基づいて、前記第１の眼底撮影像及び前記第２の眼底撮影像のそれぞれに描写された前記眼底上の略同一位置に断面位置を指定する指定手段と、
前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、
を備えることを特徴とする眼底観察装置。
【請求項１０】
被検眼の眼底を撮影する撮影手段と、
第１の検査タイミングで取得された前記眼底の第１の３次元画像と、前記第１の検査タイミングと異なる第２の検査タイミングで取得された前記眼底の第２の３次元画像とを予め記憶するとともに、前記第１の検査タイミングで前記撮影手段により撮影された前記被検眼の第１の眼底撮影像と、前記第２の検査タイミングで前記撮影された前記被検眼の第２の眼底撮影像とを記憶する記憶手段と、
前記第１の眼底撮影像及び前記第２の眼底撮影像に基づいて、眼底表面方向における前記第１の眼底撮影像と前記第２の眼底撮影像との間の位置ズレ量を算出する第１の算出手段と、
前記算出された位置ズレ量に基づいて、前記第１の眼底撮影像及び前記第２の眼底撮影像のそれぞれに描写された前記眼底上の略同一位置に断面位置を指定する指定手段と、
前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、
を備えることを特徴とする眼底観察装置。
【手続補正２】
【補正対象書類名】明細書
【補正対象項目名】００１７
【補正方法】変更
【補正の内容】
【００１７】
上記目的を達成するために、請求項１に記載の発明は、第１の検査タイミングで取得された被検眼の第１の眼底撮影像及び前記被検眼の眼底の第１の３次元画像と、前記第１の検査タイミングと異なる第２の検査タイミングで取得された前記被検眼の第２の眼底撮影像及び前記眼底の第２の３次元画像とを予め記憶する記憶手段と、前記第１の眼底撮影像及び前記第２の眼底撮影像に基づいて、眼底表面方向における前記第１の眼底撮影像と前記第２の眼底撮影像との間の位置ズレ量を算出する第１の算出手段と、前記算出された位置ズレ量に基づいて、前記第１の眼底撮影像及び前記第２の眼底撮影像のそれぞれに描写された前記眼底上の略同一位置に断面位置を指定する指定手段と、前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、を備えることを特徴とする。
また、請求項２に記載の発明は、請求項１に記載の眼底画像処理装置であって、前記指定手段は、複数の前記断面位置を指定し、前記第２の算出手段は、前記複数の断面位置のそれぞれに対応する前記第１及び第２の３次元画像の断面位置について、当該断面位置における前記第１の断層像及び前記第２の断層像に基づいて、前記指定された断面位置に沿う方向と前記眼底深度方向とにより張られる面における前記傾きズレ量を算出する、ことを特徴とする。
また、請求項３に記載の発明は、請求項２に記載の眼底画像処理装置であって、前記指定手段は、前記複数の断面位置として、互いに直交して交差する一対の直線状の断面位置を指定し、前記第２の算出手段は、前記一対の断面位置のそれぞれに対応する前記第１及び第２の３次元画像の断面位置について前記傾きズレ量を算出することにより、互いに直交する一対の平面のそれぞれにおける傾きズレ量を求める、ことを特徴とする。
また、請求項４に記載の発明は、請求項２に記載の眼底画像処理装置であって、前記指定手段は、前記複数の断面位置として、放射状に配置されて互いに交差する２つ以上の直線状の断面位置を指定し、前記第２の算出手段は、前記２つ以上の断面位置のそれぞれに対応する前記第１及び第２の３次元画像の断面位置について前記傾きズレ量を算出し、前記第２の算出手段により算出された前記２つ以上の断面位置に対応する前記傾きズレ量のうちの最大値を選択し、前記選択された傾きズレ量を打ち消すように、当該傾きズレ量に対応する断面位置に沿う方向と前記眼底深度方向とにより張られる平面における前記第１の３次元画像と前記第２の３次元画像との間の傾きのズレを補正する補正手段を更に備える、ことを特徴とする。
また、請求項５に記載の発明は、請求項１〜請求項３のいずれか一項に記載の眼底画像処理装置であって、前記第１の算出手段により算出された前記位置ズレ量と前記第２の算出手段により算出された前記傾きズレ量とを打ち消すように、前記第１の３次元画像と前記第２の３次元画像との間の位置合わせを行う位置合わせ手段を更に備える、ことを特徴とする。
また、請求項６に記載の発明は、請求項１〜請求項３のいずれか一項に記載の眼底画像処理装置であって、第１の算出手段により算出された前記位置ズレ量及び／又は前記第２の算出手段により算出された前記傾きズレ量に基づいて、前記第１の３次元画像を解析して所定の物理量の第１の値を算出し、かつ、前記第２の３次元画像を解析して前記所定の物理量の第２の値を算出する解析手段を更に備える、ことを特徴とする。
また、請求項７に記載の発明は、請求項１〜請求項６のいずれか一項に記載の眼底画像処理装置であって、前記第１の算出手段は、前記位置ズレ量として、前記眼底表面方向における平行移動量と回転移動量とを算出する、ことを特徴とする。
また、請求項８に記載の発明は、被検眼の眼底を撮影する撮影手段と、光源からの光を信号光と参照光とに分割し、前記眼底を経由した前記信号光と参照光路を経由した参照光とを重畳させて干渉光を生成して検出する光学系と、前記干渉光の検出結果に基づいて前記眼底の３次元画像を形成する画像形成手段と、第１の検査タイミングで前記撮影手段により撮影された前記被検眼の第１の眼底撮影像及び前記画像形成手段により形成された前記眼底の第１の３次元画像と、前記第１の検査タイミングと異なる第２の検査タイミングで前記撮影された前記被検眼の第２の眼底撮影像及び前記形成された前記眼底の第２の３次元画像とを記憶する記憶手段と、前記第１の眼底撮影像及び前記第２の眼底撮影像に基づいて、眼底表面方向における前記第１の眼底撮影像と前記第２の眼底撮影像との間の位置ズレ量を算出する第１の算出手段と、前記算出された位置ズレ量に基づいて、前記第１の眼底撮影像及び前記第２の眼底撮影像のそれぞれに描写された前記眼底上の略同一位置に断面位置を指定する指定手段と、前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、を備えることを特徴とする眼底観察装置である。
また、請求項９に記載の発明は、光源からの光を信号光と参照光とに分割し、被検眼の眼底を経由した前記信号光と参照光路を経由した参照光とを重畳させて干渉光を生成して検出する光学系と、前記干渉光の検出結果に基づいて前記眼底の３次元画像を形成する画像形成手段と、第１の検査タイミングで取得された前記被検眼の第１の眼底撮影像と、前記第１の検査タイミングと異なる第２の検査タイミングで取得された前記被検眼の第２の眼底撮影像とを予め記憶するとともに、前記第１の検査タイミングで前記画像形成手段により形成された前記眼底の第１の３次元画像と、前記第２の検査タイミングで前記形成された前記眼底の第２の３次元画像とを記憶する記憶手段と、前記第１の眼底撮影像及び前記第２の眼底撮影像に基づいて、眼底表面方向における前記第１の眼底撮影像と前記第２の眼底撮影像との間の位置ズレ量を算出する第１の算出手段と、前記算出された位置ズレ量に基づいて、前記第１の眼底撮影像及び前記第２の眼底撮影像のそれぞれに描写された前記眼底上の略同一位置に断面位置を指定する指定手段と、前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、を備えることを特徴とする眼底観察装置である。
また、請求項１０に記載の発明は、被検眼の眼底を撮影する撮影手段と、第１の検査タイミングで取得された前記眼底の第１の３次元画像と、前記第１の検査タイミングと異なる第２の検査タイミングで取得された前記眼底の第２の３次元画像とを予め記憶するとともに、前記第１の検査タイミングで前記撮影手段により撮影された前記被検眼の第１の眼底撮影像と、前記第２の検査タイミングで前記撮影された前記被検眼の第２の眼底撮影像とを記憶する記憶手段と、前記第１の眼底撮影像及び前記第２の眼底撮影像に基づいて、眼底表面方向における前記第１の眼底撮影像と前記第２の眼底撮影像との間の位置ズレ量を算出する第１の算出手段と、前記算出された位置ズレ量に基づいて、前記第１の眼底撮影像及び前記第２の眼底撮影像のそれぞれに描写された前記眼底上の略同一位置に断面位置を指定する指定手段と、前記第１の眼底撮影像に指定された断面位置に対応する前記第１の３次元画像の断面位置における第１の断層像と、前記第２の眼底撮影像に指定された断面位置に対応する前記第２の３次元画像の断面位置における第２の断層像とに基づいて、前記指定された断面位置に沿う方向と眼底深度方向とにより張られる面における前記第１の断層像と前記第２の断層像との間の傾きズレ量を算出する第２の算出手段と、を備えることを特徴とする眼底観察装置である。